(57)【要約】【課題】アンテナの良好な受信性能を確保することができるアンテナ内蔵式電子時計を提供する。【解決手段】  外装ケース８０内に収納され、ムーブメント１１０に対して位置決めされる環状のアンテナ素子４０とを備え、地板１２０は、裏蓋８５と係合してムーブメント１１０を時刻表示側に押し上げる押上部１３１と、押上部１３１によってムーブメント１１０を時刻表示側に押し上げた際に、垂直方向位置決め面に当接してムーブメント１１０を外装ケース８０に対して垂直方向に位置決めするムーブメント上面位置決め部１２２とを備える。【選択図】図６
2014062849.tif 000002
【特許請求の範囲】
【請求項１】
筒状の外装ケースと、
前記外装ケースの内側で時刻を表示する時刻表示部と、
前記時刻表示部の表示方向と反対側の開口を塞ぐ裏蓋と、
前記外装ケースの内側で前記時刻表示部を駆動するムーブメントを保持する地板と、
前記外装ケースの前記時刻表示部側の内側面において、前記外装ケースの径方向内側に向けて突出された垂直方向位置決め面と、
前記外装ケース内に収納され、前記ムーブメントに対して位置決めされる環状のアンテナ素子とを備え、
前記地板は、
前記裏蓋と係合して前記ムーブメントを時刻表示側に押し上げる押上部と、
前記押上部によって前記ムーブメントを時刻表示側に押し上げた際に、前記垂直方向位置決め面に当接して前記ムーブメントを外装ケースに対して垂直方向に位置決めするムーブメント上面位置決め部と
を備えることを特徴とするアンテナ内蔵式電子時計。
【請求項２】
前記外装ケース内側面には、水平方向位置決め面が形成され、
前記地板には、前記水平方向位置決め面に当接されて前記外装ケースに対する水平方向の位置決めをする地板外径係合部が形成されている
ことを特徴とする請求項１に記載のアンテナ内蔵式電子時計。
【請求項３】
前記地板は、前記時刻表示部の表示方向側に配置される硬い材質で形成される第一部材と、前記裏蓋側に配置され、前記第一部材よりも軟らかい材質で形成される第二部材とから構成され、前記第一部材に前記地板外径係合部及びムーブメント上面位置決め部が設けられ、前記第二部材に前記押上部が設けられる
ことを特徴とする請求項１又は請求項２に記載のアンテナ内蔵式電子時計。
【請求項４】
前記押上げ部は、前記地板から分離された部材により形成されていることを特徴とする請求項１から請求項３のいずれか１項に記載のアンテナ内蔵式電子時計。
【請求項５】
前記押上げ部は、前記地板と前記外装ケースとの間に配置され、
前記外装ケース内側面に形成された水平方向位置決め面と当接される中枠外径係合部と、
前記地板の外周面に設けられた地板外径係合部と当接する中枠内径位置決め面と、
前記裏蓋と係合して前記ムーブメントを時刻表示側に押し上げる中枠押上部と、
前記地板の外周面に形成された段差部分に当接する地板押上部と
を備えることを特徴とする請求項４に記載のアンテナ内蔵式電子時計。
【請求項６】
前記アンテナ素子は、位置情報衛星からの電波を受信し、
前記ムーブメントは、受信した電波に基づいて時刻を表示するように駆動される、
ことを特徴とする請求項１乃至５のうちいずれか1項に記載のアンテナ内蔵式電子時計。
【発明の詳細な説明】
【技術分野】
【０００１】
本発明は、アンテナを内蔵したアンテナ内蔵式電子時計に関する。
【背景技術】
【０００２】
近年、ＧＰＳ（Global Positioning System）衛星等の位置情報衛星からの電波を受信して正確な時刻表示を行う電子時計が開発されている。このような電子時計は、位置情報衛星からの電波を受信するためのリング状のアンテナを備える（特許文献１参照）。このようなリング状のアンテナを備える電子時計では、外装ケースの内部において、電子時計の時刻表示部（例えばダイヤル板）の周囲に配置されている。
【０００３】
従来では、アンテナと外装ケースとの距離を一定に保つためには、外装ケースでアンテナを保持することも考えられるが、アンテナ内蔵式電子時計は駆動している状態でアンテナ受信性能を保証する必要があるため、製造工程において、アンテナはムーブメントに対して位置決め及び固定されている。
【先行技術文献】
【特許文献】
【０００４】
【特許文献１】特開２０１１−２１９２９号公報
【発明の概要】
【発明が解決しようとする課題】
【０００５】
しかしながら、アンテナの間近に位置する外装ケースは、金属等で形成されているため、リング状のアンテナが金属製のケースに近い位置に配置されると、アンテナ特性である共振周波数にズレが生じることとなる。そのため、アンテナを内蔵する電子時計において、アンテナの電波受信性能を良好に保つためには、アンテナと外装ケースとの距離を一定に保ち、外装ケースの影響度を一定にすることが重要である。
【０００６】
本発明は上述した事情に鑑みてなされたものであり、ムーブメントに位置決め及び固定されたアンテナを備えるアンテナ内蔵式電子時計において、アンテナと外装ケースとの距離を一定に保ち、アンテナの良好な受信性能を確保することを解決課題とする。
【課題を解決するための手段】
【０００７】
以上の課題を解決するため、本発明に係るアンテナ内蔵式電子時計は、筒状の外装ケースと、前記外装ケースの内側で時刻を表示する時刻表示部と、前記時刻表示部の表示方向と反対側の開口を塞ぐ裏蓋と、前記外装ケースの内側で前記時刻表示部を駆動するムーブメントを保持する地板と、前記外装ケースの前記時刻表示部側の内側面において、前記外装ケースの径方向内側に向けて突出された垂直方向位置決め面と、前記外装ケース内に収納され、前記ムーブメントに対して位置決めされる環状のアンテナ素子とを備え、前記地板は、前記裏蓋と係合して前記ムーブメントを時刻表示側に押し上げる押上部と、前記押上部によって前記ムーブメントを時刻表示側に押し上げた際に、前記垂直方向位置決め面に当接して前記ムーブメントを外装ケースに対して垂直方向に位置決めするムーブメント上面位置決め部とを備えることを特徴とする。
【０００８】
本発明のアンテナ内蔵式電子時計では、アンテナ素子は、ムーブメントに対して位置決めされている。そして、地板は、ムーブメントを時刻表示側に押し上げる押上部と、ムーブメントを外装ケースに対して垂直方向に位置決めするムーブメント上面位置決め部とを有しているので、裏蓋上の地板に、外装ケースを嵌め込むことにより、地板に裏蓋からの反力が作用し、ムーブメントが外装ケースに対して垂直方向に位置決め固定され、アンテナ素子についても外装ケースに対して垂直方向に位置決め固定されることとなる。これにより、アンテナ素子と外装ケースとの距離を一定に保つことができ、外装ケースの影響度を一定にしてアンテナの電波受信性能を良好に保つことができる。
【０００９】
本発明において前記外装ケース内側面には、水平方向位置決め面が形成され、前記地板には、前記水平方向位置決め面に当接されて前記外装ケースに対する水平方向の位置決めをする地板外径係合部が形成されているようにしてもよい。この場合には、ムーブメントが外装ケースに対して水平方向に位置決め固定されることで、アンテナ素子についても外装ケースに対して水平方向に位置決め固定されることとなる。これにより、アンテナ素子と外装ケースとの距離を一定に保つことができ、外装ケースの影響度を一定にしてアンテナの電波受信性能を良好に保つことができる。
【００１０】
なお、本発明において、「筒状」には、円筒に代表される回転体が含まれる。また、「環状」には、円形や略四角形が含まれ、一部が開いた開環状（例えばＣ型）や、全部が閉じた閉環状（例えばＯ型）が含まれる。また、「時刻表示部」としては時計の文字板が含まれ、この文字板上における時刻表示として、指針による表示や、液晶等のデジタル表示が含まれる。この指針としては、時針や分針、秒針が挙げられる。さらに、本発明において、「水平方向」とは、時刻表示部の表示面に平行な平面内、或いは筒状の外装ケースの径方向に平行な平面内における二次元方向をいい、「垂直方向」とは、時刻表示部の表示面に垂直な法線方向（表示方向）、或いは筒状の外装ケースの径方向と直交する方向に平行な平面内における二次元方向をいう。
【００１１】
本発明では前記地板を、前記時刻表示部の表示方向側に配置される硬い材質で形成される第一部材と、裏蓋側に配置され、前記第一部材よりも軟らかい材質である第二部材とで構成し、前記第一部材に前記地板外径係合部及びムーブメント上面位置決め部を設け、前記第二部材に前記押上部が設けるようにしてもよい。
【００１２】
この場合、押上部は、軟らかい材質で形成されていることから、裏蓋から過剰な圧力が作用する場合であっても、その柔軟性及び弾力性により微小に変形し、圧力を吸収して破損することがない。そして、裏蓋から反力を得て、上部の第一部材に伝達することにより、ムーブメント上面位置決め部は、外装ケースの垂直方向位置決め面に押圧され、地板は外装ケースに対して垂直方向に位置決め固定される。また、地板外径係合部及びムーブメント上面位置決め部は、硬い部材で形成されているので、外装ケース側にムーブメントを押圧して、適正に固定することができる。
【００１３】
本発明において上記押上げ部は、地板から分離された部材により形成することができる。この場合には、押上げ部を地板と異なる材質の部材で構成することができ、裏蓋からの反力に対する柔軟性や、ムーブメントを固定するために必要な強度を各々設定することができ、設計の容易性及び自由度を増大させることができる。
【００１４】
本発明において前記押上げ部は、前記地板と前記外装ケースとの間に配置され、前記外装ケース内側面に形成された水平方向位置決め面と当接される中枠外径係合部と、前記地板の外周面に設けられた地板外径係合部と当接する中枠内径位置決め面と、前記裏蓋と係合して前記ムーブメントを時刻表示側に押し上げる中枠押上部と、前記地板の外周面に形成された段差部分に当接する地板押上部とを備えるようにしてもよい。
【００１５】
この場合、押上げ部を地板と異なる部材とした場合であっても、押上げ部を用いることで、地板は外装ケースに対して水平方向及び垂直方向に位置決め固定される。具体的に、押上げ部には、中枠外径係合部と、中枠内径位置決め面とを備えているので、地板と外装ケースとの間に押上げ部を装着させると、地板外径係合部が中枠内径位置決め面に当接するとともに、中枠外径係合部が水平方向位置決め面に当接して、中枠外径係合部が外方に押し込まれる。その結果、ムーブメントは外装ケースに対して水平方向に位置決め固定される。
【００１６】
また、押上げ部には、中枠押上部と地板押上部とを備えているので、裏蓋上の地板に外装ケースを嵌め込むことにより、押上げ部に裏蓋からの反力が作用し、中枠押上部が押し込まれる。この押し込まれた力は、地板の外周面に形成された段差部分に当接する地板押上部にも作用し、地板押上部は地板を上方に押し上げる。これにより、本発明によれば、地板に設けられたムーブメント上面位置決め部は、外装ケースの垂直方向位置決め面に押圧されて、ムーブメントは外装ケースに対して垂直方向に位置決め固定される。
また、上述したアンテナ内蔵式電子時計の一態様において、前記アンテナ素子は、位置情報衛星からの電波を受信し、  前記ムーブメントは、受信した電波に基づいて時刻を表示するように駆動されることが好ましい。この場合は、正確に時刻を表示することが可能ととなる。
【００１７】
このように、本発明によれば、ムーブメントが外装ケースに対して水平方向及び垂直方向に位置決め固定されることで、アンテナ素子についても外装ケースに対して水平方向及び垂直方向に位置決め固定されることとなる。これにより、アンテナ素子と外装ケースとの距離を一定に保つことができ、外装ケースの影響度を一定にして、アンテナの電波受信性能を良好に保つことができる。
【図面の簡単な説明】
【００１８】
【図１】本発明の一実施形態に係るアンテナ内蔵式電子時計１００（電子時計１００）を含むＧＰＳシステムの全体図である。
【図２】電子時計１００の平面図である。
【図３】（Ａ）は、電子時計１００の側面図であり、（Ｂ）は、電子時計１００の一部断面図である。
【図４】電子時計１００の一部の分解斜視図である。
【図５】電子時計１００の回路構成を示すブロック図である。
【図６】電子時計１００のムーブメントと外装ケースとの固定構造を示す一部断面図である。
【図７】図７（Ａ）は、電子時計１００の地板外径係合部と水平方向位置決め面８１ａとの押圧状態を示す上面図であり、同図（Ｂ）は同図（Ａ）の一部拡大図である。
【図８】図８（Ａ）は、電子時計１００の押上部を示す側面図であり、同図（Ｂ）は、同図（Ａ）におけるＡ−Ａ断面図である。
【図９】変形例に係る電子時計２００の側面図である。
【図１０】変形例に係る電子時計２００のムーブメントと外装ケースとの固定構造を示す一部断面図である。
【発明を実施するための形態】
【００１９】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２０】
＜Ａ：アンテナ内蔵式電子時計の機構的な構成＞
図１は、本発明の第一実施形態に係るアンテナ内蔵式電子時計１００（以下「電子時計１００」という）を含むＧＰＳシステムの全体を示す概略図である。電子時計１００は、複数のＧＰＳ衛星２０の少なくとも１つから電波（無線信号）を受信して内部時刻を修正する腕時計であり、腕に接触する面（以下、「裏面」という）の反対側の面（以下「表面」という）に時刻を表示する。
【００２１】
ＧＰＳ衛星２０は、地球上空における所定の軌道上を周回する位置情報衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。
【００２２】
以下では、ＧＰＳシステムを衛星測位システムの例として説明するが、ＧＰＳシステムは衛星測位システムの一例である。本発明は、ガリレオ（EU）、GLONASS（ロシア）、北斗（中国）等の全地球的航法衛星システム（GNSS）、SBAS等の静止衛星、又は、準天頂衛星等、時刻情報を含む衛星信号を発信する位置情報衛星を備える、その他の衛星測位システムを使用することができる。すなわち、電子時計１００は、ＧＰＳ衛星２０以外の衛星を含む位置情報衛星からの電波（無線信号）を受信して内部時刻を修正する腕時計であってもよい。
【００２３】
現在、約３１個のＧＰＳ衛星２０（図１においては、約３１個のうち４個のみを図示）が存在している。各ＧＰＳ衛星２０は、衛星信号がどのＧＰＳ衛星２０から送信されたかを識別するために、Ｃ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。したがって、実際に受信される衛星信号と、既知の各Ｃ／Ａコードのパターンの相関をとることにより、衛星信号に重畳されているＣ／Ａコードを検出することができる。
【００２４】
ＧＰＳ衛星２０は原子時計を搭載しており、衛星信号には原子時計で計時された極めて正確な時刻情報（以下、「ＧＰＳ時刻情報」という）が含まれている。また、地上のコントロールセグメントにより各ＧＰＳ衛星２０に搭載されている原子時計のわずかな時刻誤差が測定されており、衛星信号にはその時刻誤差を補正するための時刻補正パラメータも含まれている。電子時計１００は、１つのＧＰＳ衛星２０から送信された衛星信号を受信し、その中に含まれるＧＰＳ時刻情報と時刻補正パラメータを使用して内部時刻を正確な時刻に修正する。
【００２５】
衛星信号にはＧＰＳ衛星２０の軌道上の位置を示す軌道情報も含まれている。電子時計１００は、ＧＰＳ時刻情報と軌道情報を使用して測位計算を行うことができる。測位計算は、電子時計１００の内部時刻にはある程度の誤差が含まれていることを前提として行われる。すなわち、電子時計１００の３次元の位置を特定するための３つのパラメータに加えて時刻誤差も未知数になる。そのため、電子時計１００は、一般的には４つ以上のＧＰＳ衛星からそれぞれ送信された衛星信号を受信し、その中に含まれるＧＰＳ時刻情報と軌道情報を使用して測位計算を行う。
【００２６】
図２は、電子時計１００の平面図である。図２に示すように、電子時計１００は、外装ケース８０を備えている。外装ケース８０は、金属又はその他の導電性材料で形成された円筒状のケース胴８１と、セラミック又はその他の非導電性材料で形成されたガラス縁８２とを有し、ガラス縁８２はケース胴８１に嵌め合わせられている。
【００２７】
ガラス縁８２の内側には、プラスチック又はその他の非導電性材料で形成された環状のダイヤルリング８３が配置され、ダイヤルリング８３の内側には、円盤状のダイヤル板１１が配置されている。ダイヤルリング８３には、例えば時刻を示す１〜１２の数字が３０度おきに設けられ、ダイヤル板１１には、例えばバータイプのインデックスが３０度おきに設けられている。ダイヤルリング８３に示される情報及びダイヤル板１１に示される情報は互いに異なっていればよく、図示の情報には限定されない。
【００２８】
ダイヤル板１１上には、指針軸１２を中心に周回して現在時刻を指し示す指針１３（１３ａ〜１３ｃ）が配置されている。以下では、ダイヤル板１１を時刻表示部と呼ぶ場合がある。
【００２９】
詳細は後述するが、外装ケース８０は、表面側及び裏面側の２つの開口を有している。そして、外装ケース８０の表面側の開口は、ガラス縁８２を介してカバーガラス８４で塞がれており、カバーガラス８４を介して、ダイヤル板１１、及び指針１３（１３ａ〜１３ｃ）が視認可能となっている。
【００３０】
また、電子時計１００は、図１及び図２に示すように竜頭１６と、操作ボタン１７及び１８とを備えている。これらの竜頭１６、操作ボタン１７及び１８を手動操作することにより、電子時計１００を、少なくとも１つのＧＰＳ衛星２０からの衛星信号を受信して内部時刻情報の修正を行うモード（時刻情報取得モード）と、複数のＧＰＳ衛星２０からの衛星信号を受信して測位計算を行い内部時刻情報の時差を修正するモード（位置情報取得モード）とに設定できる。また、電子時計１００は、時刻情報取得モードや位置情報取得モードを定期的に（自動的に）実行することもできる。
【００３１】
図３（Ａ）は電子時計１００の内部構造を示す側面図であり、同図（Ｂ）は電子時計１００の内部構造を示す一部断面図であり、図４は電子時計１００の一部の分解斜視図である。図３（Ａ）に示すように、電子時計１００は、外装ケース８０と、時刻表示部の表示方向と反対側の開口を塞ぐ裏蓋８５と、時刻表示部を駆動する駆動機構３０等を有するムーブメント１１０を保持する地板１２０とから形成されている。
【００３２】
外装ケース８０は、金属又はその他の導電性材料で形成された円筒状のケース胴８１と、セラミック又はその他の非導電性材料で形成されたガラス縁８２とを有し、ガラス縁８２はケース胴８１に嵌め合わせられている。外装ケース８０は、表面側の開口Ｋ１及び裏面側の開口Ｋ２を有する。外装ケース８０の表面側の開口Ｋ１は、円盤状のカバーガラス８４で塞がれており、裏面側の開口Ｋ２は、ＳＵＳ（ステンレス鋼）又はＴｉ（チタン）等の金属で形成された裏蓋８５で塞がれている。裏蓋８５とケース胴８１とは、例えばスクリュー溝で固定されている。
【００３３】
カバーガラス８４の下側（裏面側）には、ガラス縁８２の内周に沿って、プラスチックなどの非導電性材料で形成された環状のダイヤルリング８３が設けられている。また、ダイヤルリング８３の下側には、ケース胴８１の内周よりも内側に、地板１２０が設けられている。
【００３４】
地板１２０は、駆動機構３０等を保持する基台であり、図３（Ａ）に示すように、外装ケース８０内に嵌合され、時刻表示部側に、指針１３等が配置されている。この地板１２０は、非導電性材料であって、一定の強度を有する、硬い材質の部材（第一の部材）で形成されている。ここで硬い材質とは、圧縮力や引っ張り力に対する変形が小さいことを意味し、例えば、ＰＰＳ（ポリフェニレンサルファイド）、ＰＴＥＳ（ポリチオエーテルサルフォン）、ＰＣ（ポリカーボネード）、ＬＣＰ（液晶ポリマ）、ＰＡ（ポリアミド）等の合成樹脂が挙げられる。
【００３５】
また、地板１２０の下方には、回路受け座１３０が設けられている。回路受け座は、裏蓋８５から反力を得て、上部の地板１２０に伝達する部材であり、基板２５を含む回路ブロック２１を収納する。この回路受け座１３０は、非導電性材料であって、地板１２０よりも軟らかい材質で形成されている（第ニ部材）。ここで、軟らかい材質とは、圧縮力や引っ張り力に対する柔軟性が高く、その柔軟性及び弾力性により微小に変形し、破損しにくいことを意味し、例えば、ＰＯＭ（ポリアセタール）、ＰＡＲ（ポリアリレート）等のような合成樹脂が挙げられる。
【００３６】
これらの地板１２０、回路受け座１３０及びダイヤルリング８３と、外装ケース８０の内周とによって、ドーナツ状の収納空間が区画されている。この収納空間には、環状のアンテナ素子４０が収納される。したがって、アンテナ素子４０は、ガラス縁８２の内周よりも内側に収容され、その上方をダイヤルリング８３で覆われている。また、この収納空間には、アンテナ素子４０及び地板１２０の間に、金属により形成された環状のグランド板９０が収容されている。このグランド板９０は、グランド板９０自身に設けられたバネ（図示省略）を介してケース胴８１に電気的に接続されており、裏蓋８５がケース胴８１に固定されているので、グランド板９０は裏蓋８５にも電気的に接続されている。即ち、グランド板９０→グランド板に設けられたバネ→ケース胴８１→裏蓋８５→導通バネ２４→回路の基板２５のグランドといった経路で、グランド板９０は基板２５のグランドと電気的に接続されている。さらに、アンテナ素子４０は、地板１２０上面に形成された突出部材（図示省略）と嵌め合わされることによって、地板１２０に対して水平方向及び周方向の位置決めがなされ、水平方向の位置ズレや回転などを抑えている。
【００３７】
アンテナ素子４０は、環状の誘電体を基材として、これに金属又はその他の誘電性材料からなるアンテナパターンをメッキや銀ペースト印刷などにより形成したものである。このアンテナ素子４０は、本実施形態では、ダイヤル板１１の周囲に配置されており、ガラス縁８２の内周面側に収容され、その上方をダイヤルリング８３及びカバーガラス８４で覆っている。
【００３８】
また、アンテナ素子４０の誘電体基材としては、酸化チタンなどの高周波で使える誘電材料を樹脂に混ぜることで、比誘電率εｒが５〜２０程度となるように形成されている。これにより誘電体の波長短縮と相俟ってアンテナをより小型化できる。
【００３９】
例えば、ＧＰＳ衛星２０からの電波の周波数は約１．５７５ＧＨｚであり、一波長は１９ｃｍとなり、通常のアンテナを腕時計のガラス縁に埋め込むにはそのままでは収まらず、波長短縮が必要となる。本実施形態では、誘電体による波長短縮が(εｒ)1/2となることから、本実施形態では、誘電体としては、εｒ＝５〜２０程度を用いている。これにより、ＧＰＳ受信用のアンテナであっても、腕時計に１波長ループアンテナを収めることができ、アンテナの小型化を図ることができる。
【００４０】
また、アンテナ素子４０は、給電点を通じて給電され、この給電点には、アンテナ下面に配置された給電ピン４４が接続されている。給電ピン４４は金属で形成されたピン状のコネクタであり、回路基板２５上に突設されて、地板１２０に開口された挿通孔を貫通されて収納空間内へ挿通され、回路基板２５と、収納空間内部のアンテナ素子４０とを接続する。
【００４１】
アンテナ素子４０の位置は、カバーガラス８４の下面に設定されているため、良好な受信を確保することが可能となっている。しかも、アンテナ素子４０の上部は、ダイヤルリング８３により覆われているため、アンテナ素子４０が露出することがなく、且つ、ダイヤルリング８３上にデザインを施すことが可能なため、デザインの自由度を低下させることがない。そして、アンテナ素子４０の位置は、ダイヤル板１１よりも外側に設定されているため、ダイヤル板１１のデザインの自由度を低下させることがない。
【００４２】
また、図３（Ｂ）に示すように、アンテナ素子４０の内周よりも内側には、光透過性のダイヤル板１１、光発電を行うソーラーパネル８７、ダイヤル板１１、ソーラーパネル８７、及び地板１２０を貫通する指針軸１２、並びに指針軸１２を中心に周回して現在時刻を指し示す複数の指針１３（秒針１３ａ、分針１３ｂ、及び時針１３ｃ）が設けられている。
【００４３】
ソーラーパネル８７は、光エネルギーを電気エネルギー（電力）に変換する複数のソーラーセル（光発電素子）を直列接続した円形の平板である。ソーラーパネル８７は、アンテナ素子４０の内周よりも内側で、地板１２０とダイヤル板１１との間に配置されている。ソーラーパネル８７の中央部には、指針軸１２が貫通する穴が形成されている。
【００４４】
指針軸１２は、外装ケース８０の中心軸線に沿って表裏方向に延在している。ダイヤル板１１は、円形の板材であり、プラスチックなどの光透過性の非導電性材料で形成されている。図３に示すように、ダイヤル板１１は、カバーガラス８４及び地板１２０の間に配置されている。ダイヤル板１１の中央部には、指針軸１２が貫通する穴が形成されている。指針１３は、アンテナ素子４０の内周よりも内側で、且つ、カバーガラス８４及びダイヤル板１１の間に配置されている。
【００４５】
地板１２０の下側（裏面側）には、図３（Ｂ）に示すように、指針軸１２を回転させて複数の指針１３を駆動する駆動機構（駆動部）３０が取り付けられている。駆動機構３０は、ステップモーターＭと歯車等の輪列とを有し、当該ステップモーターＭが当該輪列を介して指針軸１２を回転させることにより、複数の指針１３を駆動する。具体的には、駆動機構３０は、時針１３ｃが指針軸１２の周りを１２時間で１周し、分針１３ｂが６０分で一周し、秒針１３ａが６０秒で一周するように、指針軸１２を回転させる。
【００４６】
また電子時計１００は、外装ケース８０の内側に、基板２５を備える。基板２５は、樹脂又はその他の誘電体を含む素材で形成され、駆動機構３０の下側（つまり、駆動機構３０及び裏蓋８５の間）に配置されている。基板２５の下面（裏側の面）には、ＧＰＳ受信部（無線受信部）２６及び制御部７０等を含む回路ブロック２１が実装されている。ＧＰＳ受信部２６は、例えば、１チップのＩＣモジュールで構成され、そこにはアナログ回路とデジタル回路とが含まれている。制御部７０は、制御信号をＧＰＳ受信部２６に送り、ＧＰＳ受信部２６の受信動作を制御するとともに、駆動機構３０の動作を制御する。
【００４７】
基板２５の上側には、金属又はその他の導電性材料から形成された給電ピン４４が設けられている。給電ピン４４は、スプリングを内蔵し、グランド板９０を貫通してアンテナ素子４０に接触し、地板１２０を貫通して基板２５と接触する。したがって、アンテナ素子４０の給電手段は、給電ピン４４を介して基板２５（厳密には、基板２５上に設けられた配線）に電気的に接続され、アンテナ素子４０から基板２５に対して受信信号が供給されている。
【００４８】
ＧＰＳ受信部２６及び制御部７０を含む回路ブロック２１は、導電性材料により形成されたシールド効果を有する部材により覆われており、回路押え３９、裏蓋８５、及びケース胴８１を介して、グランド板９０と電気的に接続されている。また、導通ばね２４を通じて、回路ブロック２１に対してグランド電位が供給されている。すなわち、回路押さえ３９、裏蓋８５、ケース胴８１、及びグランド板９０の電位は、回路ブロックのグランド電位に保たれており、グランドプレーンとして機能している。
【００４９】
駆動機構３０と地板１２０との間には、耐磁板Ｓ１及びＳ２が設けられ、駆動機構３０と基板２５との間には、耐磁板Ｓ３が設けられている。以下では、耐磁板Ｓ１及びＳ２を第１耐磁板と総称し、耐磁板Ｓ３を第２耐磁板と総称する場合がある。これら耐磁板Ｓ１〜Ｓ３は、純鉄等の高い透磁率を有する導電性材料から形成される。
【００５０】
電子時計１００の外部に、スピーカー等の強い磁界を発生させる物体が存在する場合、当該磁界の影響により、ステップモーターＭが誤作動する可能性がある。また、電子時計１００を構成する各種構成要素のうち、ケース胴８１、裏蓋８５等の金属は、磁化された場合に磁界を発生させる。さらには、基板２５に設けられた回路ブロック２１も、磁界を発生させることがある。
【００５１】
本実施形態では、高い透磁率を有する材料から形成される耐磁板Ｓ１〜Ｓ３により、ステップモーターＭを覆うことにより、駆動機構３０を磁気的にシールドし、上述した各種磁界に起因してステップモーターＭが誤作動することを防止している。
【００５２】
また電子時計１００は、外装ケース８０の内側に、リチウムイオン電池などの円柱形状の二次電池２７、及び当該二次電池２７を収納するための電池収納部２８を備える。
【００５３】
二次電池２７は、ソーラーパネル８７が発電した電力で充電される。この二次電池２７を収納するための電池収納部２８は、基板２５の下側（つまり、基板２５及び裏蓋８５の間）に配置されている。
【００５４】
外装ケース８０の外側には、竜頭１６と、操作ボタン１７及び１８とが設けられる（図２参照）。電子時計１００の利用者が、竜頭１６を操作することで生じる竜頭１６の動きは、外装ケース８０を貫通する巻真１６ａを介して、駆動機構３０に伝達される。また、電子時計１００の利用者が、操作ボタン１７（又は１８）を押下することで生じる操作ボタン１７（又は１８）の動きは、外装ケース８０を貫通するボタン軸を介して、図示省略されたスイッチに伝達される。そして、当該スイッチは、操作ボタン１７（又は１８）からの圧力を電気的な信号に変換して、制御部７０に伝達する。
【００５５】
＜Ｂ：アンテナ内蔵式電子時計の回路構成＞
図５は、電子時計１００の回路構成を示すブロック図である。図５に示すように、電子時計１００は、ＧＰＳ受信部２６及び制御表示部３６を含む。ＧＰＳ受信部２６は、衛星信号の受信、ＧＰＳ衛星２０の捕捉、位置情報の生成、時刻修正情報の生成等の処理を行う。制御表示部３６は、内部時刻情報の保持及び内部時刻情報の修正等の処理を行う。
【００５６】
ソーラーパネル８７は、充電制御回路２９を通じて二次電池２７を充電する。電子時計１００はレギュレータ３４及び３５を備え、二次電池２７は、レギュレータ３４を介して制御表示部３６に、レギュレータ３５を介してＧＰＳ受信部２６に駆動電力を供給する。また電子時計１００は、二次電池２７の電圧を検出する電圧検出回路３７を備える。なお、レギュレータ３５に代えて、例えば、ＲＦ部５０（詳細は後述）に駆動電力を供給するレギュレータ３５−１と、ベースバンド部６０（詳細は後述）に駆動電力を供給するレギュレータ３５−２（ともに図示せず）とに分けて設けてもよい。レギュレータ３５−１は、ＲＦ部５０の内部に設けてもよい。
【００５７】
また電子時計１００は、アンテナ素子４０、及びＳＡＷ（Surface Acoustic Wave：表面弾性波）フィルタ３２を含む。アンテナ素子４０は、図１に関連して説明したように、複数のＧＰＳ衛星２０からの衛星信号を受信する。ただし、アンテナ素子４０は衛星信号以外の不要な電波も若干受信してしまうため、ＳＡＷフィルタ３２は、アンテナ素子４０が受信した信号から衛星信号を抽出する処理を行う。すなわち、ＳＡＷフィルタ３２は、１．５ＧＨｚ帯の信号を通過させるバンドパスフィルタとして構成される。
【００５８】
また、ＧＰＳ受信部２６は、ＲＦ（Radio Frequency：無線周波数）部５０とベースバンド部６０を含む。以下に説明するように、ＧＰＳ受信部２６は、ＳＡＷフィルタ３２が抽出した１．５ＧＨｚ帯の衛星信号から航法メッセージに含まれる軌道情報やＧＰＳ時刻情報等の衛星情報を取得する処理を行う。
【００５９】
ＲＦ部５０は、ＬＮＡ（Low Noise Amplifier）５１、ミキサ５２、ＶＣＯ（Voltage Controlled Oscillator）５３、ＰＬＬ（Phase Locked Loop）回路５４、ＩＦアンプ５５、ＩＦ（Intermediate Frequency：中間周波数）フィルタ５６、ＡＤＣ（Ａ／Ｄ変換器）５７等を含む。
【００６０】
ＳＡＷフィルタ３２が抽出した衛星信号は、ＬＮＡ５１で増幅される。ＬＮＡ５１で増幅された衛星信号は、ミキサ５２でＶＣＯ５３が出力するクロック信号とミキシングされて中間周波数帯の信号にダウンコンバートされる。ＰＬＬ回路５４は、ＶＣＯ５３の出力クロック信号を分周したクロック信号と基準クロック信号を位相比較してＶＣＯ５３の出力クロック信号を基準クロック信号に同期させる。その結果、ＶＣＯ５３は基準クロック信号の周波数精度の安定したクロック信号を出力することができる。なお、中間周波数として、例えば、数ＭＨｚを選択することができる。
【００６１】
ミキサ５２でミキシングされた信号は、ＩＦアンプ５５で増幅される。ここで、ミキサ５２でのミキシングにより、中間周波数帯の信号とともに数ＧＨｚの高周波信号も生成される。そのため、ＩＦアンプ５５は、中間周波数帯の信号とともに数ＧＨｚの高周波信号も増幅する。ＩＦフィルタ５６は、中間周波数帯の信号を通過させるとともに、この数ＧＨｚの高周波信号を除去する（正確には、所定のレベル以下に減衰させる）。ＩＦフィルタ５６を通過した中間周波数帯の信号はＡＤＣ（Ａ／Ｄ変換器）５７でデジタル信号に変換される。
【００６２】
ベースバンド部６０は、ＤＳＰ（Digital Signal Processor）６１、ＣＰＵ（Central Processing Unit）６２、ＳＲＡＭ（Static Random Access Memory）６３、ＲＴＣ（リアルタイムクロック）６４を含む。また、ベースバンド部６０には、温度補償回路付き水晶発振回路（ＴＣＸＯ：Temperature Compensated Crystal Oscillator）６５やフラッシュメモリ６６等が接続されている。
【００６３】
温度補償回路付き水晶発振回路（ＴＣＸＯ）６５は、温度に関係なくほぼ一定の周波数の基準クロック信号を生成する。フラッシュメモリ６６には、例えば時差情報が記憶されている。時差情報は、時差データ（座標値（例えば、緯度及び経度）に関連づけられたＵＴＣに対する補正量等）が定義された情報である。
【００６４】
ベースバンド部６０は、時刻情報取得モード又は位置情報取得モードに設定されると、ＲＦ部５０のＡＤＣ５７が変換したデジタル信号（中間周波数帯の信号）からベースバンド信号を復調する処理を行う。
【００６５】
また、ベースバンド部６０は、時刻情報取得モード又は位置情報取得モードに設定されると、後述する衛星検索工程において、各Ｃ／Ａコードと同一のパターンのローカルコードを発生し、ベースバンド信号に含まれる各Ｃ／Ａコードとローカルコードの相関をとる処理を行う。そして、ベースバンド部６０は、各ローカルコードに対する相関値がピークになるようにローカルコードの発生タイミングを調整し、相関値が閾値以上となる場合にはそのローカルコードのＧＰＳ衛星２０に同期（すなわち、ＧＰＳ衛星２０を捕捉）したものと判断する。ここで、ＧＰＳシステムでは、すべてのＧＰＳ衛星２０が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２０を検索することができる。
【００６６】
また、ベースバンド部６０は、時刻情報取得モード又は位置情報取得モードにおいて、捕捉したＧＰＳ衛星２０の衛星情報を取得するために、当該ＧＰＳ衛星２０のＣ／Ａコードと同一のパターンのローカルコードとベースバンド信号をミキシングする処理を行う。ミキシングされた信号には、捕捉したＧＰＳ衛星２０の衛星情報を含む航法メッセージが復調される。そして、ベースバンド部６０は、航法メッセージの各サブフレームのＴＬＭワード（プリアンブルデータ）を検出し、各サブフレームに含まれる軌道情報やＧＰＳ時刻情報等の衛星情報を取得する（例えばＳＲＡＭ６３に記憶する）処理を行う。ここで、ＧＰＳ時刻情報は、週番号データ（ＷＮ）及びＺカウントデータであるが、以前に週番号データが取得されている場合にはＺカウントデータのみであってもよい。そして、ベースバンド部６０は、衛星情報に基づいて、内部時刻情報を修正するために必要な時刻修正情報を生成する。
【００６７】
時刻情報取得モードの場合、より具体的には、ベースバンド部６０は、ＧＰＳ時刻情報に基づいて測時計算を行い、時刻修正情報を生成する。時刻情報取得モードにおける時刻修正情報は、例えば、ＧＰＳ時刻情報そのものであってもよいし、ＧＰＳ時刻情報と内部時刻情報との時間差の情報であってもよい。
【００６８】
一方、位置情報取得モードの場合、より具体的には、ベースバンド部６０は、ＧＰＳ時刻情報や軌道情報に基づいて測位計算を行い、位置情報（より具体的には、受信時に電子時計１００が位置する場所の緯度及び経度）を取得する。
【００６９】
さらに、ベースバンド部６０は、フラッシュメモリ６６に記憶されている時差情報を参照し、位置情報により特定される電子時計１００の座標値（例えば、緯度及び経度）に関連づけられた時差データを取得する。このようにして、ベースバンド部６０は、時刻修正情報として衛星時刻データ（ＧＰＳ時刻情報）及び時差データを生成する。位置情報取得モードにおける時刻修正情報は、上記の通り、ＧＰＳ時刻情報と時差データそのものであってもよいが、例えば、ＧＰＳ時刻情報の代わりに内部時刻情報とＧＰＳ時刻情報の時間差のデータであってもよい。
【００７０】
なお、ベースバンド部６０は、１つのＧＰＳ衛星２０の衛星情報から時刻修正情報を生成してもよいし、複数のＧＰＳ衛星２０の衛星情報から時刻修正情報を生成してもよい。
【００７１】
また、ベースバンド部６０の動作は、温度補償回路付き水晶発振回路（ＴＣＸＯ）６５が出力する基準クロック信号に同期する。ＲＴＣ６４は、衛星信号を処理するためのタイミングを生成するものである。このＲＴＣ６４は、ＴＣＸＯ６５から出力される基準クロック信号でカウントアップされる。
【００７２】
制御表示部３６は、制御部７０、駆動回路７４及び水晶振動子７３を含む。  制御部７０は、記憶部７１及びＲＴＣ（Real Time Clock）７２を備え、各種制御を行う。制御部７０は、例えばＣＰＵで構成することが可能である。制御部７０は、制御信号をＧＰＳ受信部２６に送り、ＧＰＳ受信部２６の受信動作を制御する。また制御部７０は、電圧検出回路３７の検出結果に基づいて、レギュレータ３４及びレギュレータ３５の動作を制御する。また制御部７０は、駆動回路７４を介してすべての指針１３の駆動を制御する。
【００７３】
記憶部７１には受信データが記憶されている。制御部７０はその受信データに基づいて内部時刻情報を修正する。内部時刻情報は、電子時計１００で計時される時刻の情報であり、常時駆動されているＲＴＣ７２でカウントされており、水晶振動子７３によって生成される基準クロック信号によって更新される。したがって、ＧＰＳ受信部２６への電力供給が停止されていても、内部時刻情報を更新して指針の運針を継続することができるようになっている。
【００７４】
制御部７０は、時刻情報取得モードに設定されると、ＧＰＳ受信部２６の動作を制御し、ＧＰＳ時刻情報に基づいて内部時刻情報を修正して記憶部７１に記憶する。より具体的には、内部時刻情報は、取得したＧＰＳ時刻情報にＵＴＣオフセットを加算することで求められるＵＴＣ（協定世界時）に修正される。また、制御部７０は、位置情報取得モードに設定されると、ＧＰＳ受信部２６の動作を制御し、衛星時刻データ（ＧＰＳ時刻情報）及び時差データに基づいて、内部時刻情報を修正して記憶部７１に記憶する。
【００７５】
＜Ｃ：アンテナ内蔵式電子時計の固定構造＞
次に、本実施形態の電子時計１００の固定構造について詳しく説明する。図６は、電子時計１００のムーブメントと外装ケースとの固定構造を示す一部断面図である。図７（Ａ）は、電子時計１００の地板外径係合部１２１と水平方向位置決め面８１ａとの当接状態を示す上面図であり、同図（Ｂ）は同図（Ａ）の一部拡大図である。図８（Ａ）は、電子時計１００の押上部１３１を示す側面図であり、同図（Ｂ）は、同図（Ａ）におけるＡ−Ａ断面図である。
【００７６】
先ず、裏蓋８５とケース胴８１との固定構造について説明する。図６に示すように、裏蓋８５の外周には、ケース胴８１に対して螺合されるネジである水平方向係合部８５ｃと、ケース胴８１に対して垂直方向の位置決め固定を行うために当接される垂直方向係合部８５ａとが形成されている。また、ケース胴８１には、水平方向係合部８５ｃと螺合されるネジ部８１ｃと、垂直方向係合部８５ａに押圧されて密着されるパッキン８１ｄとが設けられている。
【００７７】
このような構成により、水平方向係合部８５ｃとネジ部８１ｃとが螺合されることにより、裏蓋８５はケース胴８１に対して水平方向の位置が決められることになる。また、垂直方向係合部８５ａがパッキン８１ｄに密着されることにより、裏蓋８５はケース胴８１に対して垂直方向の位置が決められることになる。
【００７８】
次いで、地板１２０とケース胴８１との水平方向における固定構造について説明する。図６に示すように、ケース胴８１には、ケース胴８１内側面に形成された水平方向位置決め面８１ａが形成されている。また、地板１２０の外周面は、図７（Ａ）及び（Ｂ）に示すように、水平方向位置決め面８１ａに押圧されて、ケース胴８１に対する水平方向の位置決めをする地板外径係合部１２１が複数形成されている。
【００７９】
このような構成により、ムーブメント１１０をケース胴８１に収納した際には、地板外径係合部１２１が水平方向位置決め面８１ａに押圧されて、地板外径係合部１２１が外方に押し込まれる。これにより、ムーブメント１１０はケース胴８１に対して水平方向に位置決め固定されるようになっている。
【００８０】
次いで、ムーブメント１１０とケース胴８１との垂直方向における固定構造について説明する。図６に示すように、ケース胴８１には、ケース胴８１の時刻表示部側の内側面において、ケース胴８１の径方向内側に向けて突出された垂直方向位置決め面８１ｂが設けられている。一方、地板１２０には、この垂直方向位置決め面８１ｂに押圧されて、ムーブメント１１０をケース胴８１に対して垂直方向に位置決めするムーブメント上面位置決め部１２２が設けられている。
【００８１】
また、本実施形態において、ムーブメント１１０を時刻表示側に押し上げる押上部１３１が形成されている。具体的に押上部１３１は、図６に示すように、ムーブメント１１０の回路受け座１３０に形成され、裏蓋８５に向けて突出した形状となっている。一方、裏蓋８５には、押上部１３１と対向する箇所に押上部１３１と係合する押上係合部８５ｂが設けられている。ここで、押上部１３１には、図８（Ａ）及び（Ｂ）に示すように、下方に向けて突出した突出部１３１ａを有しており、ムーブメント１１０を内部に収納した状態で裏蓋８５がケース胴８１に装着されると、押上係合部８５ｂに嵌合するようになっている。
【００８２】
＜Ｄ：本実施形態の利点＞
本実施形態によれば、アンテナ素子４０は、ムーブメント１１０に対して水平方向に位置決めされている。そして、裏蓋８５上の地板１２０に、外装ケース８０を嵌め込むことにより、地板１２０に裏蓋８５からの反力が作用し、地板１２０のムーブメント上面位置決め部１２２と、回路受け座１３０の押上部１３１とによって、ムーブメント１１０が外装ケース８０に対する垂直方向に位置決め固定されるとともに、地板１２０の地板外径係合部１２１によって、ムーブメント１１０が外装ケース８０に対する水平方向に位置決め固定されることで、アンテナ素子４０についても、外装ケース８０に対する水平方向及び垂直方向に位置決めされることとなる。その結果、アンテナ素子４０と外装ケース８０との距離を一定に保つことができ、外装ケース８０の影響度を一定にして、アンテナの電波受信性能を良好に保つことができる。
【００８３】
また、本実施形態においては、裏蓋８５側に配置される回路受け座１３０の押上部１３１は、地板１２０よりも柔軟な材質で形成されているので、押上部１３１が押し込まれ、裏蓋８５から過剰な圧力が作用する場合であっても、その柔軟性及び弾力性により微小に変形し、圧力を吸収して破損することがない。そして、裏蓋８５から反力を得て、上部の地板１２０に伝達することにより、ムーブメント上面位置決め部１２２は、外装ケースの垂直方向位置決め面８１ｂと当接され、ムーブメント１１０はケース胴８１に対して垂直方向に位置決め固定される。
【００８４】
また、地板１２０は、硬い部材で形成されているので、内部に収納された駆動機構３０等を保護することができるとともに、ケース胴８１側にムーブメントを押圧して、適正に固定することができる。さらに、本実施形態によれば、ムーブメントを固定するための部材が不要となるため、部品点数を減らすとともに、ムーブメントを配置するためのスペースを拡大させることができる。
【００８５】
＜Ｅ：変形例＞
本発明は、上述した実施形態に限定されるものではなく、例えば次に述べるような各種の変形が可能である。図９は、本変形例に係る電子時計２００を示す側面図であり、図１０は、本変形例に係る電子時計２００の固定構造を示す一部断面図である。なお、本実施形態において、上述した第１実施形態と同一の構成要素には同一の符号を付し、その機能等は特に言及しない限り同一であり、その説明は省略する。
【００８６】
上述した上記実施形態では、地板１２０と回路受け座１３０とを異なる部材で形成し、回路受け座１３０を用いて時計の垂直方向に対する位置決めを行ったが、本変形例では、地板１２０と回路受け座１３０とを同一部材で形成し、地板１２０から分離された中枠１４０を用いて時計の垂直方向に対する位置決めを行う場合を要旨とする。
【００８７】
図９に示すように、本変形例におけるムーブメント１１０ａの固定構造は、ムーブメント１１０ａを構成する地板１２０及び回路受け座１３０と、中枠１４０と、ケース胴８１から形成される。本変形例において、地板１２０及び回路受け座１３０は、一体形成されており、その素材は一定の強度を有する硬い材質で形成されている。
【００８８】
そして、地板１２０及び回路受け座１３０とケース胴８１との間には、中枠１４０が配置されている。この中枠１４０は、ムーブメント１１０ａを外装ケース８０に位置決めするための部材であり、地板１２０よりも軟らかく弾性力を有する部材で形成されている。そして、中枠１４０は、ムーブメント１１０ａをケース胴８１に対して水平方向に位置決めするための構成として、図１０に示すように、水平方向位置決め面８１ａと当接される中枠外径係合部１４１と、地板１２０の外周面に設けられた地板外径係合部１２３と当接する中枠内径位置決め面１４２とを備えている。
【００８９】
これにより、ムーブメント１１０ａとケース胴８１との間に中枠１４０を装着させると、地板外径係合部１２３が中枠内径位置決め面１４２に当接するとともに、中枠外径係合部１４１が水平方向位置決め面８１ａに当接し、中枠外径係合部１４１が外方に押し込まれる。これにより、ムーブメント１１０ａはケース胴８１に対して水平方向に位置決め固定される。
【００９０】
また、中枠１４０には、ムーブメント１１０ａをケース胴８１に対して垂直方向に位置決めするための構成として、裏蓋８５と係合して前記ムーブメントを時刻表示側に押し上げる中枠押上部１４４と、ムーブメント１１０ａの段差部分に設けられた地板１２０の下面１２４と当接する地板押上部１４３とを備えている。ここで、中枠押上部１４４は、押上部１３１と同様に、下方に向けて突出した突出部を有している。また、ムーブメント１１０ａ側には、外装ケース８０の垂直方向位置決め面８１ｂに当接するムーブメント上面位置決め部１２２が設けられている。
【００９１】
これにより、ムーブメント１１０ａをケース胴８１内に配置して、ケース胴８１の裏蓋８５側の開口部から裏蓋８５を嵌め込むと、裏蓋８５の押上係合部８５ｂに突出部が嵌め込まれる。中枠押上部１４４は、裏蓋８５上の地板１２０に、ケース胴８１を嵌め込むことにより、地板１２０に裏蓋８５からの反力が作用し、中枠押上部１４４が押し込まれ、地板押上部１４３は上面に配置されている下面１２４を上方に押し上げる。
【００９２】
地板押上部１４３が下面１２４を上方に押し上げると、その上部に位置するムーブメント上面位置決め部１２２は、ケース胴８１の垂直方向位置決め面８１ｂに押圧されて、ムーブメント１１０ａはケース胴８１に対して垂直方向に位置決め固定される。その結果、本変形例によれば、アンテナ素子４０と外装ケース８０との距離を一定に保つことができ、外装ケース８０の影響度を一定にして、アンテナの電波受信性能を良好に保つことができる。さらに、本変形例では、中枠１４０を地板１２０と異なる材質の部材で構成したことから、裏蓋８５からの反力に対する柔軟性や、ムーブメントを固定するために必要な強度を各々設定することができ、設計の容易性及び自由度を増大させることができる。
【符号の説明】
【００９３】
１００，２００…アンテナ内蔵式電子時計、１１…ダイヤル板、１２…指針軸、１３（１３ａ，１３ｂ，１３ｃ）…指針、２６…ＧＰＳ受信部、３０…駆動機構、４０…アンテナ素子、８０…外装ケース、８１…ケース胴、８１ａ…水平方向位置決め面、８１ｂ…垂直方向位置決め面、８２…ガラス縁、８３…ダイヤルリング、８４…カバーガラス、８５…裏蓋、８７…ソーラーパネル、９０…グランド板、１２０…地板、１２１…地板外径係合部、１２２…ムーブメント上面位置決め部、１２３…地板外径係合部、１２４…下面、１３０…回路受け座、１３１…押上部、１４０…中枠、１４１…中枠外径係合部、１４２…中枠内径位置決め面、１４３…地板押上部、１４４…中枠押上部、２００…電子時計。
【図１】
2014062849.tif 000003
【図２】
2014062849.tif 000004
【図３】
2014062849.tif 000005
【図４】
2014062849.tif 000006
【図５】
2014062849.tif 000007
【図６】
2014062849.tif 000008
【図７】
2014062849.tif 000009
【図８】
2014062849.tif 000010
【図９】
2014062849.tif 000011
【図１０】
2014062849.tif 000012